(57)【要約】【課題】作業者が引下電線の仮支持作業を単独でできるようにすると共に、従来より作業時間を短縮できるようにする。【解決手段】  電気部材から開放された引下電線を電線支持物に仮に支持する引下電線仮支持具において、電線支持物の腕金を把持して姿勢を保持するクリップ１と、クリップ１に揺動自在に連結され、開放された引下電線の端部を絶縁止めするキャップ２と、クリップ１に連結されて、前記引下電線を絶縁止めしたキャップ２を支持するクリップ３とを備えるものである。この構成によって、作業者が安全を確保しながらも単独で、また従来よりも短時間で引下電線の仮支持作業を行うことができるようになる。【選択図】        図１
2007295726.tif 000002
【特許請求の範囲】
【請求項１】
電気部材から開放された電線を電線支持物に仮に支持する電線仮支持具において、
前記電線支持物の所定部位を把持して姿勢を保持する第１の支持部材と、
前記第１の支持部材に揺動自在に連結され、開放された電線の端部を絶縁止めする絶縁止部材と、
前記第１の支持部材に連結されて、前記電線を絶縁止めした絶縁止部材を支持する第２の支持部材とを備えることを特徴とする電線仮支持具。
【請求項２】
前記第１の支持部材は、
クリップ状の支持部材により電線支持物の所定部位を挟み込むことを特徴とする請求項１記載の電線仮支持具。
【請求項３】
前記絶縁止部材は、
屈曲変形可能な筒状のキャップに電線の端部を収納し、当該キャップが折り曲げられることを特徴とする請求項１記載の電線仮支持具。
【請求項４】
前記第２の支持部材は、
クリップ状の支持部材により前記絶縁止部材を挟み込むことを特徴とする請求項１記載の電線仮支持具。
【請求項５】
前記揺動自在の連結部材には、
長さ調節が可能な紐が用いられることを特徴とする請求項１記載の電線仮支持具。
【請求項６】
電気部材から開放された電線を電線支持物に仮に支持する電線仮支持具の取扱方法において、
前記電線支持物の所定部位を第１の支持部材で把持して姿勢を保持する工程と、
前記第１の支持部材に揺動自在に連結された絶縁止部材により、前記開放された電線の端部を絶縁止めする工程と、
前記第１の支持部材に連結された第２の支持部材に、前記電線を絶縁止めした絶縁止部材を支持する工程とを有する
ことを特徴とする電線仮支持具の取扱方法。
【発明の詳細な説明】
【技術分野】
【０００１】
この発明は、電気部材から開放された引下電線を電線支持物に仮止めする引下電線仮支持具に適用可能な電線仮支持具及びその取扱方法に関する。詳しくは、電気部材から開放された充電状態の引下電線を絶縁止めした絶縁止部材を支持する支持部材を備え、充電状態の電気部材、例えば柱上に設けられた高圧カットアウト等を交換するとき、従来方式に比べて容易に電気部材の交換作業スペースを確保できるようにして、作業者が電気部材取り替え作業を単独でできるようにすると共に、従来より作業時間を短縮できるようにしたものである。
【背景技術】
【０００２】
従来、電線支持物上の電気部材を交換する際には、交換時に開放される引下電線による短絡事故や感電事故を防ぐため、複数の道具を用いて引下電線仮支持作業を行い、電気部材の交換作業スペースを確保している。
【０００３】
複数の道具の例としては、電線被覆用の保護カバーと、電線端部絶縁用の絶縁止具と、防具支持用の支持具とがそれぞれ挙げられる。
【０００４】
それらを用いた引下電線仮支持作業では、まず保護カバーで開放する引下電線を揺動自在となる始点から被覆し、次に絶縁止具で開放した引下電線の端部を絶縁止めし、次に支持具で保護カバーを電線支持物に仮支持するようになされる。
【０００５】
そして保護カバーは、例えば被覆可能なように閉塞されない筒状で、屈曲変形可能な蛇腹状を有しており、比較的大きく重厚な構造となるものが多い（例えば特許文献１参照）。
【０００６】
また絶縁止具や支持具は、それぞれ個々の絶縁止具や支持具を用いることもあるが、絶縁テープ等を巻き付けることにより代用されることが多い。
【０００７】
【特許文献１】特開平７−３１２１３２（第４頁、図１）
【発明の開示】
【発明が解決しようとする課題】
【０００８】
しかし従来例に係る引下電線仮支持作業によれば、特許文献１に示されるような大きく重厚な保護カバーで引下電線を被覆したり、それらを腕金に絶縁テープで巻き付けたりするため、作業者が単独で行うことは困難で、また作業にも時間が掛かっていた。
【０００９】
そこで本発明は、上述の課題に鑑み創作されたものであり、作業者が引下電線の仮支持作業を単独でできるようにすると共に、従来より作業時間を短縮できるようにした引下電線仮支持具及びその取扱方法を提供することを目的とする。
【課題を解決するための手段】
【００１０】
この発明に係る電線仮支持具は、電線支持物の所定部位を把持して姿勢を保持する第１の支持部材と、前記第１の支持部材に揺動自在に連結され、開放された電線の端部を絶縁止めする絶縁止部材と、前記第１の支持部材に連結されて、前記電線を絶縁止めした絶縁止部材を支持する第２の支持部材とを備えることを特徴とするものである。
【００１１】
本発明に係る電線仮支持具によれば、充電状態の電気部材、例えば、高圧カットアウト等を交換するとき、開放される高圧引下線や引込線等充電状態の引下電線の端部の姿勢を、作業領域外で保持させ、従来方式に比べて容易に電気部材の交換作業スペースを確保できるので、作業者が安全を確保しながらも単独で短時間に電気部材取り替え作業を行うことができるようになり、電気部材交換時の作業性が向上する。
【００１２】
また、この発明に係る電線仮支持具の取扱方法は、電線支持物の所定部位を第１の支持部材で把持して姿勢を保持する工程と、前記第１の支持部材に揺動自在に連結された絶縁止部材により、前記開放された電線の端部を絶縁止めする工程と、前記第１の支持部材に連結された第２の支持部材に、前記電線を絶縁止めした絶縁止部材を支持する工程とを有することを特徴とするものである。
【００１３】
本発明に係る電線仮支持具の取扱方法によれば、充電状態の電気部材、例えば、高圧カットアウト等を交換するとき、開放される高圧引下線や引込線等充電状態の引下電線の端部の姿勢を、作業領域外で保持することができる。
【発明の効果】
【００１４】
この発明に係る電線仮支持具によれば、電気部材から開放された充電状態の電線を絶縁止めした絶縁止部材を支持する第２の支持部材を備えるようになされる。
【００１５】
この構成によって、充電状態の電気部材、例えば、高圧カットアウト等を交換するとき、引下電線の姿勢を作業領域外で保持させ、従来方式に比べて容易に電気部材の交換作業スペースを確保することができる。
【００１６】
また、この発明に係る電線仮支持具の取扱方法によれば、電気部材から解放された充電状態の引下電線を絶縁止めした絶縁止部材を第２の支持部材に把持させることができる。
【００１７】
この構成によって、引下電線の姿勢を作業領域外で保持させ、従来よりも容易に交換作業スペースを確保することができるので、作業者が安全を確保しながらも単独で短時間に電気部材取り替え作業を行うことができるようになり、電気部材交換時の作業性が向上する。
【発明を実施するための最良の形態】
【００１８】
以下、図面を参照しながら、この発明の実施の形態に係る電線仮支持具及びその取扱方法について説明をする。
【００１９】
図１は、本発明に係る実施例としての引下電線仮支持具１００の構成例を示す斜視図である。
【００２０】
図１に示す引下電線仮支持具１００は、電線支持具の一例を構成し、電線支持物上の電気部材を交換する際に、電気部材から開放された引下電線を仮に電線支持物に支持するようになされる。この引下電線仮支持具１００は、腕金用のクリップ１、キャップ２、キャップ支持用のクリップ３、紐４を備えて構成されている。
【００２１】
クリップ１は支持部材の一例を構成し、電線支持物の所定部位の一例となる腕金を把持して、キャップで保護された引下電線の姿勢を保持するようになされる。例えばクリップ１はプラスチック樹脂等の絶縁素材でコーティングされた鉄製のクリップにより構成され、電線支持物の腕金を挟み込むことで姿勢を保持する。
【００２２】
キャップ２は絶縁止部材の一例を構成し、クリップ１に揺動自在に連結され、電気部材取り替え時に開放される引下電線の端部を絶縁止めするようになされる。例えばキャップ２は絶縁素材で構成される、一方が閉塞された屈曲変形可能な筒状のキャップにより構成され、引下電線の端部を収納し、同キャップを折り曲げることにより電線を固定し、絶縁止めを行う。
【００２３】
クリップ３は支持部材の一例を構成し、クリップ１に連結され、引下電線を絶縁止めしたキャップ２を電線支持物に支持するようになされる。例えばクリップ３はプラスチック樹脂等の絶縁素材でコーティングされた鉄製のクリップにより構成され、引下電線を絶縁止めしたキャップ２を挟み込むことで、引下電線を電線支持物に支持する。
【００２４】
紐４は長さ調節が可能な連結部材の一例を構成し、キャップ２をクリップ１に揺動自在に連結するようになされる。例えば紐４はビニル等の丈夫な絶縁素材の紐２本で構成され、一端を互いに自在に移動可能なように連結し、他端をそれぞれクリップ１、キャップ２に連結することで、互いを揺動自在で長さ調節可能に連結する。
【００２５】
このように、引下電線仮支持具１００が構成される。以下で引下電線仮支持具１００の組立（製造）例について説明する。
【００２６】
図２Ａ、Ｂ、Ｃ及びＤは実施例としての引下電線仮支持具の部材及び組立例を示す斜視図である。図１に示した引下電線仮支持具１００を製造する（組み立てる）場合、まず、図２Ａに示す鋏形状を有したクリップ１を準備する。例えば、クリップ１はプラスチック樹脂等の絶縁素材でコーティングされた鉄製で構成されている。クリップ１は取っ手部１ａ及び鋏み部１ｂを備えたものが好ましい。鋏み部１ｂは、電線支持物の腕金を挟み込む大きさの開口幅を備えている。例えば、鋏み部１ｂの開口幅は、上述の腕金を挟み込んだ状態で抜け落ちない程度の開口径を備えていることが好ましい。活線作業では、取っ手部１ａを操作して、鋏み部１ｂを開き、電線支持物の腕金を挟み込むことでクリップ１の姿勢を保持するようになされる。
【００２７】
取っ手部１ａの一方には、図２Ｂに示すようなクリップ３が接続される。クリップ３は、クリップ１と同様にして、プラスチック樹脂等の絶縁素材でコーティングされた鉄製で構成されてものが好ましい。もちろん、これに限られることはなく全体が樹脂で形成されたものであってもよい。接続方法は、両者が鉄製の場合は、その端部と端部とを溶接により結合される。部材が異なる場合は、その端部と端部とを接着剤で接合するようになされる。このとき、溶接や接着剤等で連結した後に、接合部分を接合テープで固定してもよい。
【００２８】
クリップ３も取っ手部３ａ及び鋏み部３ｂを備えたものが好ましい。鋏み部３ｂは、キャップ２を挟み込む大きさの開口幅を備えている。更に、鋏み部３ｂはキャップ２を鋏み込むのに好適なように直線的な形状になされる。例えば、鋏み部３ｂの開口幅は、上述の電線を絶縁止め固定されたキャップ２を挟み込んだ状態で抜け落ちない程度の開口径を備えていることが好ましい。活線作業では、取っ手部３ａを操作して、鋏み部３ｂを開き、キャップ２を挟み込むことで絶縁止め固定された電線の姿勢を保持するようになされる。
【００２９】
また、取っ手部１ａの他端には紐を通す孔部を開口するようになされる。この孔部には、図２Ｃに示す紐４が結合される。紐４にはビニル等の丈夫な絶縁素材の縒り紐等を２本組み合わせたものが使用される。例えば、紐４の一端を互いに自在に移動可能なように連結する。一方の紐４の先端に小さな輪を作り、この輪の中に他方の紐本体を通す。同様にして、他方の紐４も先端に小さな輪を作り、この輪の中に一方の紐本体を通す。これにより、双方の紐４が自在に移動可能な連結構造となり、長さ調節が可能な紐４が形成される。一方の紐４の他端は、取っ手部１ａの他端に設けられた孔部に係合される。
【００３０】
他方の紐４の他端には、図２Ｄに示すキャップ２が接続される。キャップ２は屈曲変形可能な筒状で、かつ、周囲に段差形状を有しており、絶縁素材で構成される。キャップ２は引下電線を固定できるように、屈曲変形後その形状を維持できるような樹脂素材で構成し、キャップの径は引下電線の端部を収納するのに好適な大きになされる。
【００３１】
キャップ２は、一方の側に差込口２ａを有している。差込口２ａは開放され、他方の側は閉塞部２ｂとなされている。接続方法は、キャップ２の閉塞部２ｂに紐４を巻き付けて固定される。ここでも抜け落ちないように、例えば、キャップ２の周囲に設けられた段差形状に強固に係合される。活線作業では、キャップ２の差込口２ａから引下電線の端部が収納され、同キャップを折り曲げて電線が固定され、絶縁止めがなされる。これにより、図１に示した引下電線仮支持具を製造する（組み立てる）ことができる。
【００３２】
以下で引下電線仮支持具１００が適用される、電線支持物上の変圧器と高圧カットアウトの設置例について説明する。
【００３３】
図３は電線支持物上の変圧器１１と高圧カットアウト１２の設置例を示す正面図である。電線支持物９の腕金１０に、６６００Ｖ高圧受電電圧を１００Ｖ、２００Ｖ、４００Ｖなどに低電圧変成し、電灯・コンセント回路等に電力を供給する為の変圧器１１が設置されている。
【００３４】
変圧器１１には、変圧器個別の保護を目的とする高圧カットアウト１２を介して高圧引下電線１３から６６００Ｖ高圧電圧が供給される。
【００３５】
高圧カットアウト１２はその経年変化や塩害などにより劣化するため定期的な交換作業が必要であるが、この交換作業を安全に行う為には、開放される高圧引下電線１３を例えば腕金１０に仮に支持して交換作業スペースを確保することが必要となる。
【００３６】
その高圧引下電線１３の仮支持を行う際に、本発明に係る引下電線仮支持具１００が有用である。
【００３７】
以下、図面を参照しながら引下電線仮支持具１００の取扱方法について説明する。
【００３８】
図４〜図６は、引下電線仮支持具１００の取扱方法を示した斜視図である。この実施例では、劣化した高圧カットアウト１２の交換作業を行う際に、開放される高圧引下電線１３を、引下電線仮支持具１００を用いて電線支持物の腕金１０に仮に支持し、交換作業スペースを確保するようになされる。
【００３９】
まず、図４に示すように、引下電線仮支持具１００のクリップ１の取っ手部１ａにより鋏み部１ｂの開口幅を操作し、電線支持物９の腕金１０を挟み込むことで姿勢を保持する。その際には、交換作業スペースが充分確保できるように腕金１０の先端付近を把持することが望ましい。
【００４０】
次に高圧カットアウト１２を開き、高圧引下電線１３を開放する。
【００４１】
次に図５Ａに示すように、開放した高圧引下電線１３の端部を、クリップ１に揺動自在に連結されたキャップ２の差込口２ａに収納し、同図Ｂに示すように同キャップを折り曲げることにより高圧引下電線１３を固定して絶縁止めを行う。
【００４２】
次に図６に示すように、クリップ１に連結されたクリップ３により、高圧引下電線１３を絶縁止めしたキャップ２を挟み込むことで、高圧引下電線１３を電線支持物９の腕金１０に支持する。
【００４３】
以上の作業により確保された作業スペースにて、高圧カットアウト１２の交換作業を行う。例えば劣化した古い高圧カットアウト１２を外して、新しい高圧カットアウト１２を取り付ける。
【００４４】
高圧カットアウト１２の交換が終わったら、クリップ３からキャップ２を外し揺動自在に戻した後、キャップ２を折り曲げた状態から元に戻して高圧引下電線を引き抜き、交換した新しい高圧カットアウト１２に差込んでから、高圧カットアウト１２を閉じる。
【００４５】
最後にクリップ１の取っ手部１ａにより鋏み部１ｂの開口幅を操作し、電線支持物９の腕金１０から引下電線仮支持具１００を取り外す。
【００４６】
これにより、高圧カットアウト１２の交換作業が終了する。
【００４７】
このように、本発明に係る実施例としての引下電線仮支持具１００及びその取扱方法によれば、充電状態の高圧カットアウト１２を交換するとき、解放された引下電線１３の端部の姿勢を作業領域外で保持することができるので、従来方法に比べて容易に交換作業スペースを確保できる。従って、作業者が安全を確保しながらも単独で短時間に電気部材取り替え作業を行うことができるようになり、電気部材交換時の作業性が向上する。
【００４８】
上述のクリップ１は腕金１０を把持するのに好適なように、鋏み部１ｂが角形になっているものや、滑り止めや磁石を備えたものであってもよく、その場合にはより確実に腕金１０を把持することができる。
【００４９】
上述のキャップ２は、差込口が角筒状の絶縁キャップや、内部に備えた弁により電線を固定する絶縁キャップでもよい。
【００５０】
上述のクリップ２は絶縁キャップの形状に合わせて、キャップを把持するのに好適なように、鋏み部３ｂが曲線状のものや、滑り止めや磁石を備えたものであってもよい。
【００５１】
上述の紐４はゴムなどの伸縮性の紐を用いてもよく、その場合には作業状況に応じて長さ調整をする必要が無くなり、より作業の効率が上がる。
【００５２】
なお実施例では、高圧カットアウト交換における高圧引下電線の仮支持作業を挙げたが、変圧器交換における高圧架空電線や低圧引込線の仮支持作業など、電気部材交換時に開放される電線の仮支持作業に本発明の電線仮支持具を用いることができる。
【産業上の利用可能性】
【００５３】
本発明は、電気部材から開放された引下電線を仮に電線支持物に支持する引下電線仮支持具に適用して極めて好適である。
【図面の簡単な説明】
【００５４】
【図１】本発明に係る実施例としての引下電線仮支持具１００の構成例を示す斜視図である。
【図２】（Ａ）〜（Ｄ）は実施例としての引下電線仮支持具１００の部材及び組立例を示す斜視図である。
【図３】電線支持物上の変圧器と高圧カットアウトの設置例を示す正面図である。
【図４】引下電線仮支持具１００の取扱例（その１）を示す斜視図である。
【図５】引下電線仮支持具１００の取扱例（その２）を示す斜視図である。
【図６】引下電線仮支持具１００の取扱例（その３）を示す斜視図である。
【符号の説明】
【００５５】
１・・・腕金用のクリップ、２・・・キャップ、３・・・キャップ支持用のクリップ、４・・・紐、１ａ・・・取っ手部、１ｂ・・・挟み部、２ａ・・・差込口、２ｂ・・・閉塞部、３ａ・・・取っ手部、３ｂ・・・挟み部、９・・・電線支持物、１０・・・腕金、１１・・・変圧器、１２・・・高圧カットアウト、１３・・・高圧引下電線、１００・・・引下電線仮支持具
【図１】
2007295726.tif 000003
【図２】
2007295726.tif 000004
【図３】
2007295726.tif 000005
【図４】
2007295726.tif 000006
【図５】
2007295726.tif 000007
【図６】
2007295726.tif 000008